(57)【要約】【課題】コスト増を抑制できる紙葉類処理装置及び仕切りカードを提供する。【解決手段】少なくとも一枚の処理対象紙葉類と、処理対象紙葉類と重ねて配置され、搬送方向に沿って並んで少なくとも二つ設けられた貫通孔６３で構成される識別孔群６２ａ〜６２ｄが主面部６１に少なくとも一つ形成された仕切りカードＳ（ｂ）とを有する紙葉類群を取り込む投入口１２と、投入口１２からの紙葉類群の取り込みを検出すると共に識別孔群６２ａ〜６２ｄを検出する検出部５５と、検出部５５が取り込み及び識別孔群６２ａ〜６２ｄを検出した紙葉類を仕切りカードＳ（ｂ）と判定し、検出部５５が取り込みを検出し識別孔群６２ａ〜６２ｄを検出しなかった紙葉類を処理対象紙葉類と判定して、紙葉類群を区分けする制御部を備える。【選択図】図３
2020035499.tif 000002
【特許請求の範囲】
【請求項１】
少なくとも一枚の処理対象紙葉類と、識別孔群が主面部に少なくとも一つ形成された仕切りカードとを有する紙葉類群を、前記仕切りカード、前記処理対象紙葉類の順に取り込む投入口と、
前記投入口の近傍に設置され、前記投入口からの前記紙葉類群の取り込みを検出すると共に前記識別孔群を検出する検出部と、
前記取り込まれた紙葉類群を搬送する搬送部と、
前記検出部が前記取り込み及び前記識別孔群を検出した紙葉類を前記仕切りカードと判定し、前記検出部が前記取り込みを検出して前記識別孔群を検出しなかった紙葉類を前記処理対象紙葉類と判定し、前記紙葉類を前記仕切りカードと判定すると、前記紙葉類群の取り込みを一時停止させる一方で、前記搬送部による搬送は継続させ、前記搬送部上に、当該仕切りカードの前に取り込まれていた先の紙葉類群がなくなった判定すると、前記一時停止させていた紙葉類群の取り込みを再開する制御部とを備えることを特徴とする紙葉類処理装置。
【請求項２】
前記検出部は、前記投入口の幅方向の中央部に対して該幅方向に変位した位置に配置され、
前記識別孔群は、前記仕切りカードの主面部の前記搬送方向に直交する第一方向の中央部から該第一方向に変位した位置に形成されることを特徴とする請求項１に記載の紙葉類処理装置。
【請求項３】
前記識別孔群は、前記第一方向の一方に少なくとも一つ形成されると共に他方に少なくとも一つ形成されることを特徴とする請求項２に記載の紙葉類処理装置。
【請求項４】
前記検出部は、前記投入口の幅方向の中央部と該幅方向の位置を合わせて配置され、
前記識別孔群は、前記仕切りカードの主面部の前記搬送方向に直交する第一方向の中央部に形成されていることを特徴とする請求項１に記載の紙葉類処理装置。
【発明の詳細な説明】
【技術分野】
【０００１】
本発明は、紙葉類処理装置に関する。
【背景技術】
【０００２】
従来から、バッチ処理単位の処理対象紙葉類群を、仕切りカードによって区分けしつつ、少なくとも二つ以上一括して処理する紙葉類処理装置が知られている。例えば、特許文献１の紙葉類処理装置では、色センサ等で構成される色検知部を設置して、仕切りカードに有色領域を設けて、色検知部によって仕切りカードの有色領域を検知することで、仕切りカードと紙葉類とを識別して、各処理対象紙葉類群を区分けしている。
【先行技術文献】
【特許文献】
【０００３】
【特許文献１】特開２００７−０７９６９５号公報
【発明の概要】
【発明が解決しようとする課題】
【０００４】
しかしながら、特許文献１の紙葉類処理装置では、色検知部を設ける必要があるため、コストが増大する恐れがある。
【０００５】
したがって、本発明は、コスト増を抑制できる紙葉類処理装置の提供を目的とする。
【課題を解決するための手段】
【０００６】
本発明は、少なくとも一枚の処理対象紙葉類と、識別孔群が主面部に少なくとも一つ形成された仕切りカードとを有する紙葉類群を、前記仕切りカード、前記処理対象紙葉類の順に取り込む投入口と、前記投入口の近傍に設置され、前記投入口からの前記紙葉類群の取り込みを検出すると共に前記識別孔群を検出する検出部と、前記取り込まれた紙葉類群を搬送する搬送部と、前記検出部が前記取り込み及び前記識別孔群を検出した紙葉類を前記仕切りカードと判定し、前記検出部が前記取り込みを検出して前記識別孔群を検出しなかった紙葉類を前記処理対象紙葉類と判定し、前記紙葉類を前記仕切りカードと判定すると、前記紙葉類群の取り込みを一時停止させる一方で、前記搬送部による搬送は継続させ、前記搬送部上に、当該仕切りカードの前に取り込まれていた先の紙葉類群がなくなった判定すると、前記一時停止させていた紙葉類群の取り込みを再開する制御部とを備えることを特徴とする。
【発明の効果】
【０００７】
コスト増を抑制できる紙葉類処理装置を提供することができる。
【図面の簡単な説明】
【０００８】
【図１】本発明の一実施形態に係る紙葉類処理装置を正面側から見た概略構成図である。
【図２】本発明の一実施形態に係る紙葉類処理装置で処理される紙葉類を示す斜視図である。
【図３】本発明の一実施形態に係る紙葉類処理装置及び仕切りカードを示す要部の平面図である。
【図４】本発明の一実施形態に係る紙葉類処理装置及び仕切りカードを示す要部の平面図であって、投入口への仕切りカードの配置状態を示すものである。
【図５】本発明の一実施形態に係る紙葉類処理装置及び仕切りカードを示す要部の平面図であって、投入口への仕切りカードの他の配置状態を示すものである。
【図６】本発明の一実施形態に係る紙葉類処理装置及び仕切りカードを示す要部の平面図であって、投入口への仕切りカードの更に他の配置状態を示すものである。
【図７】本発明の一実施形態に係る紙葉類処理装置及び仕切りカードを示す要部の平面図であって、投入口への仕切りカードの更に他の配置状態を示すものである。
【図８】本発明の一実施形態に係る紙葉類処理装置及び仕切りカードの変更例を示す要部の平面図である。
【図９】本発明の一実施形態に係る紙葉類処理装置及び仕切りカードの他の変更例を示す要部の平面図である。
【図１０】本発明の一実施形態に係る紙葉類処理装置及び仕切りカードの更に他の変更例を示す要部の平面図である。
【図１１】本発明の一実施形態に係る紙葉類処理装置及び仕切りカードの更に他の変更例を示す要部の平面図である。
【図１２】本発明の一実施形態に係る紙葉類処理装置の投入口の変更例を示す要部の平面図である。
【図１３】本発明の一実施形態に係る紙葉類処理装置及び仕切りカードを示す要部の平面図であって、投入口への仕切りカードの配置状態の変形例を示すものである。
【発明を実施するための形態】
【０００９】
本発明の一実施形態を図面を参照して以下に説明する。図１に示す本実施形態に係る紙葉類処理装置１１は、投入された紙葉類Ｓに対して所定の処理を行うものである。具体的に、紙葉類処理装置１１は、紙葉類Ｓとしての図２に示す処理対象紙幣Ｓ（ａ）を処理対象として識別処理を行うものであり、処理対象紙幣Ｓ（ａ）を識別し金種別に計数して合計金額等を算出する処理を行うものである。
【００１０】
図１に示す紙葉類処理装置１１は、図２に示すように複数枚の処理対象紙幣Ｓ（ａ）が厚さ方向に連続的に集積されて一纏めにされてなる区分部Ｂ（ａ）を、複数連続して処理可能となっている。その際に、各区分部Ｂ（ａ）の境界を判断するため、言い換えれば各区分部Ｂ（ａ）を区分けするために紙葉類Ｓである仕切りカードＳ（ｂ）が用いられる。
【００１１】
ここで、各区分部Ｂ（ａ）は、処理対象紙幣Ｓ（ａ）をバッチ処理単位毎に纏めたものである。区分部Ｂ（ａ）は、上記のように複数枚の処理対象紙幣Ｓ（ａ）が厚さ方向に連続的に集積されて一纏めにされてなる場合が多いが、一枚のみの処理対象紙幣Ｓ（ａ）からなる場合もある。
【００１２】
図２に示すように、一のバッチ処理単位の複数枚の処理対象紙幣Ｓ（ａ）からなる区分部Ｂ（ａ）と、他のバッチ処理単位の複数枚の処理対象紙幣Ｓ（ａ）からなる区分部Ｂ（ａ）との境界を判断するために仕切りカードＳ（ｂ）が用いられる。また、一のバッチ処理単位の一枚の処理対象紙幣Ｓ（ａ）からなる区分部Ｂ（ａ）と、他のバッチ処理単位の一枚の処理対象紙幣Ｓ（ａ）からなる区分部Ｂ（ａ）との境界を判断するためにも仕切りカードＳ（ｂ）が用いられる。更に、一のバッチ処理単位の一枚の処理対象紙幣Ｓ（ａ）からなる区分部Ｂ（ａ）と、他のバッチ処理単位の複数枚の処理対象紙幣Ｓ（ａ）からなる区分部Ｂ（ａ）との境界を判断するためにも仕切りカードＳ（ｂ）が用いられる。よって、紙葉類処理装置１１は、少なくとも一枚の処理対象紙幣Ｓ（ａ）と、この少なくとも一枚の処理対象紙幣Ｓ（ａ）と重ねて配置される仕切りカードＳ（ｂ）とで構成される紙葉類群Ｇが少なくとも二つ一緒にセット可能であり、これら少なくとも二つの紙葉類群Ｇを連続的に処理可能となっている。
【００１３】
図１に示すように、紙葉類処理装置１１は、その右側面の下部に設けられて右側方に開口する投入口１２と、同じく右側面の上下方向中間部に設けられて右側方だけ、又は右側方及び前方に亘って開口するリジェクト部１３と、投入口１２及びリジェクト部１３の左方に配置されて装置前面に開口する複数（具体的には１２カ所）の集積部１４とを有している。
【００１４】
投入口１２には、紙葉類Ｓが上下方向に集積された状態でセットされることになり、投入口１２は、セットされた紙葉類Ｓを最下のものから一枚ずつ分離し繰り出して紙葉類処理装置１１内に取り込む。紙葉類処理装置１１の内部には、投入口１２から取り込まれた紙葉類Ｓを搬送する搬送部２１と、搬送部２１で搬送中の紙葉類Ｓを識別し、そのうちの処理対象紙幣Ｓ（ａ）の金種等を識別しつつ計数する識別部２２とが設けられている。
【００１５】
搬送部２１は、識別部２２よりも下流側の部分が識別部２２の識別結果に基づいて紙葉類Ｓをリジェクト部１３及び複数の集積部１４に択一的に振り分ける。搬送部２１は、各部を結ぶように適宜分離して配置されて紙葉類Ｓを搬送する搬送路２５と、搬送路２５の各分岐位置に設けられて紙葉類Ｓを振り分ける複数の振分部２６とを有している。
【００１６】
リジェクト部１３は、投入口１２で紙葉類処理装置１１内に取り込まれた処理対象紙幣Ｓ（ａ）のうち、識別部２２で正常紙幣以外と識別されたリジェクト処理対象紙幣Ｓ（ａ）を含む紙葉類Ｓを紙葉類処理装置１１外に取り出し可能に排除するものである。リジェクト部１３は、搬送部２１から繰り出される紙葉類Ｓを繰り出し順（言い換えれば投入口１２の取り込み順）に下から上に集積させる。
【００１７】
複数の集積部１４は、投入口１２で紙葉類処理装置１１内に取り込まれた処理対象紙幣Ｓ（ａ）のうち、識別部２２で正常と識別された正常処理対象紙幣Ｓ（ａ）を紙葉類処理装置１１外に取り出し可能に集積させるものである。複数の集積部１４は、いずれも搬送部２１から繰り出された処理対象紙幣Ｓ（ａ）を繰り出し順（言い換えれば投入口１２の取り込み順）に下から上に集積させる。
【００１８】
紙葉類処理装置１１の前面には、操作入力を受け付けるとともに情報表示を行う操作表示部３１が設けられている。また、紙葉類処理装置１１の内部には、各部を制御する制御部３２と、識別の基準となるマスタデータや識別計数結果のデータ等を記憶する記憶部３３とが設けられている。
【００１９】
投入口１２は、上述したように紙葉類処理装置１１の右側面に右側方に開口するように設けられており、水平に対して若干左下がりに傾斜して配置される底部４０と、底部４０の奥側位置から底部４０に対して垂直に延出して配置される壁部４１と、底部４０の幅方向の一端縁部から底部４０に対して垂直に延出する図３に示す壁部４２と、底部４０の幅方向の他端縁部から底部４０に対して垂直に延出する壁部４３とを有している。壁部４２と壁部４３とは平行に配置されており、これらに対して壁部４１は垂直に配置されている。壁部４２は紙葉類処理装置１１における前側に配置され、壁部４３は紙葉類処理装置１１における後側に配置されている。投入口１２には、紙葉類Ｓが、図４に示すように底部４０上に、壁部４２，４３間に配置され、少なくとも壁部４１に当接するように載置される。
【００２０】
投入口１２には、長方形状の紙葉類Ｓが、長辺が壁部４１に沿い、短辺が壁部４２，４３に沿うようにしてセットされる。言い換えれば、紙葉類Ｓは、その長手方向（長辺方向）が、投入口１２の長手方向（幅方向）である壁部４２，４３同士を結ぶ方向と一致し、短手方向（短辺方向）が壁部４１に垂直をなすようにして、投入口１２にセットされる。投入口１２は、壁部４２，４３間の長さが、図２に示す処理対象紙幣Ｓ（ａ）の最も長さの長いものとほぼ同じ長さであり、処理対象紙幣Ｓ（ａ）の最も長さの長いものの長さよりも若干長くなっている。図１に示すように、投入口１２は、底部４０の上方に設けられて壁部４１に沿って昇降するビルプレス４５を有しており、ビルプレス４５は、底部４０上に載置された紙葉類Ｓを底部４０に向けて押圧する。
【００２１】
投入口１２は、底部４０上にセットされた紙葉類Ｓのうちの最下の紙葉類Ｓを搬送部２１に向けて蹴り出す蹴出ローラ５１と、蹴出ローラ５１で蹴り出された紙葉類Ｓを紙葉類処理装置１１の内部に取り込んで搬送部２１に受け渡す取込ローラ５２と、取込ローラ５２で取り込む紙葉類Ｓを一枚ずつに分離する分離ローラ５３とを有している。投入口１２は、図２に示す少なくとも一枚の処理対象紙幣Ｓ（ａ）と、処理対象紙幣Ｓ（ａ）と重ねて配置される仕切りカードＳ（ｂ）とからなる紙葉類群Ｇを紙葉類処理装置１１の内部に取り込む。
【００２２】
投入口１２は、上記の紙葉類処理装置１１の右側面に右側方に開口するように設けられていることから、その幅方向が紙葉類処理装置１１の前後方向に一致している。図３に示すように、取込ローラ５２は、投入口１２の幅方向の略中央部に設けられており、この取込ローラ５２と外周面同士が接触する図１に示す分離ローラ５３も投入口１２の幅方向の略中央部に設けられている。
【００２３】
紙葉類処理装置１１には、図３に示すように、投入口１２の近傍位置に、紙葉類Ｓの取り込みの有無を検出する取込センサ５５（検出部）が設置されている。取込センサ５５は、投入口１２よりも投入口１２の幅方向に垂直な搬送方向の奥側（下流側）に設けられており、図１に示す搬送路２５を移動する紙葉類Ｓが通過する位置に設けられている。図３に示すように、取込センサ５５は、取込ローラ５２との干渉を避けるため、投入口１２の幅方向の中央部に対して、この幅方向に所定距離変位した位置に配置されている。具体的に、取込センサ５５は、投入口１２の幅方向の中央部よりもこの幅方向において壁部４３側に所定距離ずれて配置されている。
【００２４】
取込センサ５５は、投入口１２から取り込まれた紙葉類Ｓを間に通過させるように配置された発光素子と受光素子とを有する光透過型のセンサである。取込センサ５５は、発光素子の発光光を受光素子が受光する透光状態にあると取込センサ５５の位置に紙葉類Ｓがないことを検出し、発光素子の発光光を受光素子が受光しない遮光状態にあると取込センサ５５の位置に紙葉類Ｓがあることを検出する。取込センサ５５は、壁部４２，４３間に配置されて取り込まれる仕切りカードＳ（ｂ）及び全金種の処理対象紙幣Ｓ（ａ）を検出可能な位置に設けられており、よって、投入口１２からの紙葉類群Ｇの取り込みを検出する。
【００２５】
仕切りカードＳ（ｂ）は、長方形状であり、その長手方向の長さが、処理対象紙幣Ｓ（ａ）の最も長さが長いものの長さと同等で、壁部４２，４３間の長さより若干短くなっている。よって、仕切りカードＳ（ｂ）は、処理対象紙幣Ｓ（ａ）と同等の長さ又は若干長い長さとなっている。投入口１２には、仕切りカードＳ（ｂ）が、長辺が壁部４１に沿い、短辺が壁部４２，４３に沿うようにしてセットされる。更に、投入口１２には、仕切りカードＳ（ｂ）が、壁部４１及び壁部４３に当接するようにしてセットされる。投入口１２は、いずれも紙葉類Ｓである仕切りカードＳ（ｂ）及び処理対象紙幣Ｓ（ａ）をそれぞれの短手方向に沿って壁部４１側に搬送して紙葉類処理装置１１の内部に取り込むことになり、搬送部２１も、仕切りカードＳ（ｂ）及び処理対象紙幣Ｓ（ａ）をそれぞれの短手方向に沿って搬送する。
【００２６】
仕切りカードＳ（ｂ）には、最も面積が広い主面部６１に四つの識別孔群６２ａ，６２ｂ，６２ｃ，６２ｄが形成されている。ここで、主面部６１の長手方向は仕切りカードＳ（ｂ）の長手方向と一致し、主面部６１の長手方向長さは仕切りカードＳ（ｂ）の長手方向長さと一致する。主面部６１の短手方向は仕切りカードＳ（ｂ）の短手方向と一致し、主面部６１の短手方向長さは仕切りカードＳ（ｂ）の短手方向長さと一致する。
【００２７】
識別孔群６２ａ〜６２ｄは同形状をなしており、いずれも主面部６１の短手方向に並んで二つ設けられた貫通孔６３で構成されている。仕切りカードＳ（ｂ）は、その短手方向に沿って移動するように搬送されるため、仕切りカードＳ（ｂ）の短手方向に並んで設けられた二つの貫通孔６３は、搬送方向に沿って並んでいるとも言える。すべての貫通孔６３は、仕切りカードＳ（ｂ）の一方の主面部６１からその裏の図６に示す主面部６４に貫通しており、よって、主面部６４にも、識別孔群６２ａ〜６２ｄが形成されている。
【００２８】
図３に示すように、すべての識別孔群６２ａ〜６２ｄを構成する八つの貫通孔６３は、同一の矩形状、具体的には長方形状をなしており、すべての貫通孔６３は、長手方向を主面部６１の長手方向に一致させている。また、同一の識別孔群を構成する二つの貫通孔６３は、主面部６１の長手方向の位置を互いに一致させている。すべての識別孔群６２ａ〜６２ｄは、それぞれを構成する二つの貫通孔６３の主面部６１の短手方向の間隔が所定の等間隔となっている。
【００２９】
一つの識別孔群６２ａは、主面部６１の長手方向の中央部よりも一側に変位し且つ短手方向の中央部よりも一側に変位して形成されており、他の一つの識別孔群６２ｂは、主面部６１の長手方向の中央部よりも他側に変位し且つ短手方向の中央部よりも他側に変位して形成されている。更に他の一つの識別孔群６２ｃは、主面部６１の長手方向の中央部よりも他側に変位し且つ短手方向の中央部よりも一側に変位して形成されており、更に他の一つの識別孔群６２ｄは、主面部６１の長手方向の中央部よりも一側に変位し且つ短手方向の中央部よりも他側に変位して形成されている。つまり、識別孔群６２ａ〜６２ｄは、仕切りカードＳ（ｂ）の主面部６１の搬送部２１による搬送方向（以下、搬送方向と称す）に直交する第一方向（以下、搬送直交方向と称す）の中央部からこの方向に変位した位置に形成されている。また、識別孔群６２ａ〜６２ｄは、仕切りカードＳ（ｂ）の主面部６１の搬送直交方向（長手方向）の一方に二つの識別孔群６２ａ，６２ｄが形成されると共に、他方に二つの識別孔群６２ｂ，６２ｃが形成されている。
【００３０】
識別孔群６２ａ，６２ｃは、主面部６１の短手方向の位置を合わせて長手方向に並んでおり、識別孔群６２ｂ，６２ｄも、主面部６１の短手方向の位置を合わせて長手方向に並んでいる。識別孔群６２ａ，６２ｄは、主面部６１の長手方向の位置を合わせて短手方向に並んでおり、識別孔群６２ｂ，６２ｃも、主面部６１の長手方向の位置を合わせて短手方向に並んでいる。
【００３１】
これら識別孔群６２ａ〜６２ｄは、最も近い主面部６１の短辺との距離Ｌ１がいずれも同じになっており、最も近い主面部６１の長辺との距離Ｌ２がいずれも同じになっている。
【００３２】
以上により、識別孔群６２ａ，６２ｄは、主面部６１において、これらに近い側の短辺（図３における右側の短辺）から、これらから遠い側の短辺（図３における左側の短辺）に向けて所定の距離Ｌ１ずれた位置に配置されている。識別孔群６２ｂ，６２ｃは、主面部６１のこれらに近い側の短辺（図３における左側の短辺）から、これらから遠い側の短辺（図３における右側の短辺）に向けて、識別孔群６２ａ，６２ｄとこれらに近い側の短辺との距離と同じ所定の距離Ｌ１ずれた位置に配置されている。
【００３３】
また、識別孔群６２ａ，６２ｃは、主面部６１において、識別孔群６２ａ，６２ｃに近い側の長辺（図３における上側の長辺）から、これらから遠い側の長辺（図３における下側の長辺）に向けて所定の距離Ｌ２ずれた位置に配置されている。識別孔群６２ｂ，６２ｄは、主面部６１のこれらに近い側の長辺（図３における下側の長辺）から、これらから遠い側の長辺（図３における上側の長辺）に向けて、識別孔群６２ａ，６２ｃとこれらに近い側の長辺との距離と同じ所定の距離Ｌ２ずれた位置に配置されている。
【００３４】
更に、主面部６１の長手方向の一方の識別孔群６２ａ，６２ｄと他方の識別孔群６２ｃ，６２ｂとは、主面部６１の長手方向の中央部に対して対称に形成されている。加えて、主面部６１の短手方向の一方の識別孔群６２ａ，６２ｃと他方の識別孔群６２ｄ，６２ｂとは、主面部６１の短手方向の中央部に対して対称に形成されている。
【００３５】
識別孔群６２ａ〜６２ｄと、それぞれに最も近い主面部６１の短辺との間の長手方向の長さは、取込センサ５５とこれに近い側の投入口１２の幅方向の端部である壁部４３との間の、この幅方向の長さと同じ長さになっている。主面部６１の長手方向である搬送直交方向の一方の識別孔群６２ａ，６２ｄと、これらに近い側の主面部６１のこの搬送直交方向の一方の端部との間のこの搬送直交方向の長さ、及び、この搬送直交方向の他方の識別孔群６２ｂ，６２ｃと、これらに近い側の主面部６１のこの搬送直交方向の他方の端部との間のこの搬送直交方向の長さは、取込センサ５５とこれに近い側の投入口１２の幅方向の端部である壁部４３との間のこの幅方向の長さと同じ長さになっている。
【００３６】
以上により、仕切りカードＳ（ｂ）が投入口１２から取り込まれると、取込センサ５５は、仕切りカードＳ（ｂ）の識別孔群６２ａ〜６２ｄ以外の身の部分で遮光状態になると共に識別孔群６２ａ〜６２ｄのうち、仕切りカードＳ（ｂ）の長手方向の位置が取込センサ５５と合う二つのそれぞれ二カ所の貫通孔６３で透光状態となる。つまり、取込センサ５５は、紙葉類群Ｇを構成する紙葉類Ｓの有無及び紙葉類Ｓの識別孔群６２ａ〜６２ｄの有無を透光／遮光によって検出する。
【００３７】
ここで、紙葉類Ｓが投入口１２の壁部４２，４３間にセットされた状態から取り込まれる場合に、制御部３２は、取込センサ５５が、紙葉類Ｓの遮光による検出開始後の所定の監視時間内に識別孔群６２ａ〜６２ｄのうちの一つを透光により検出したか否かで、紙葉類Ｓが仕切りカードＳ（ｂ）であるか処理対象紙幣Ｓ（ａ）であるかを識別する。ここで、上記の監視時間は、例えば、識別孔群６２ａに近い側の仕切りカードＳ（ｂ）の長辺と、識別孔群６２ａのこの長辺から遠い側の貫通孔６３との間の最大距離よりも長く、この長辺と識別孔群６２ｄのこの長辺に近い側の貫通孔６３との間の最小距離よりも短い所定長さを、投入口１２による取り込みの搬送速度で割った値となっている。
【００３８】
例えば、図４に示すように、主面部６１が鉛直方向上側を向き、識別孔群６２ａ，６２ｃが識別孔群６２ｂ，６２ｄよりも壁部４１に近くなる向きで仕切りカードＳ（ｂ）が投入口１２に配置されると、取込センサ５５は、壁部４１に近く壁部４３に近い識別孔群６２ａを、この仕切りカードＳ（ｂ）の遮光による検出開始後、監視時間内に生じる二回の透光によって検出することになる。
【００３９】
また、図５に示すように、主面部６１が鉛直方向上側を向き、識別孔群６２ｂ，６２ｄが識別孔群６２ａ，６２ｃよりも壁部４１に近くなる向きで仕切りカードＳ（ｂ）が投入口１２に配置されると、取込センサ５５は、壁部４１に近く壁部４３に近い識別孔群６２ｂを、この仕切りカードＳ（ｂ）の遮光による検出開始後、監視時間内に生じる二回の透光によって検出することになる。
【００４０】
また、図６に示すように、主面部６４が鉛直方向上側を向き、識別孔群６２ａ，６２ｃが識別孔群６２ｂ，６２ｄよりも壁部４１に近くなる向きで仕切りカードＳ（ｂ）が投入口１２に配置されると、取込センサ５５は、壁部４１に近く壁部４３に近い識別孔群６２ｃを、この仕切りカードＳ（ｂ）の遮光による検出開始後、監視時間内に生じる二回の透光によって検出することになる。
【００４１】
また、図７に示すように、主面部６４が鉛直方向上側を向き、識別孔群６２ｂ，６２ｄが識別孔群６２ａ，６２ｃよりも壁部４１に近くなる向きで仕切りカードＳ（ｂ）が投入口１２に配置されると、取込センサ５５は、壁部４１に近く壁部４３に近い識別孔群６２ｄを、この仕切りカードＳ（ｂ）の遮光による検出開始後、監視時間内に生じる二回の透光によって検出することになる。
【００４２】
制御部３２は、取込センサ５５の検出状態が、紙葉類Ｓの最短の取り込み間隔に相当する所定時間以上の透光状態から遮光状態になると紙葉類Ｓの取り込み開始を検出することになり、この紙葉類Ｓの取り込み開始検出後の監視時間内に透光、遮光、透光、遮光のパターンの状態変化が生じると、この紙葉類Ｓを仕切りカードＳ（ｂ）と識別する。紙葉類Ｓの取り込み開始検出後の監視時間内に透光、遮光、透光、遮光のパターンの状態変化が生じなければ、この紙葉類Ｓを処理対象紙幣Ｓ（ａ）と識別する。即ち、制御部３２は、取込センサ５５が、投入口１２からの取り込み及び識別孔群６２ａ〜６２ｄの一つを検出した紙葉類Ｓを仕切りカードＳ（ｂ）と判定し、取込センサ５５が、投入口１２からの取り込みを検出し、識別孔群６２ａ〜６２ｄの一つを検出しなかった紙葉類Ｓを処理対象紙幣Ｓ（ａ）と識別する。
【００４３】
制御部３２は、投入口１２にセットされた複数の紙葉類群Ｇを、それぞれ紙葉類群Ｇ毎に区分けして、それぞれの区分部Ｂ（ａ）を複数の集積部１４に振り分ける。また、制御部３２は、各紙葉類群Ｇを、仕切りカードＳ（ｂ）と、処理対象紙幣Ｓ（ａ）とに区分けして、仕切りカードＳ（ｂ）をリジェクト部１３に、処理対象紙幣Ｓ（ａ）を集積部１４に搬送する。
【００４４】
図３に示すように、主面部６１には、識別孔群６２ａ，６２ｃと識別孔群６２ｂ，６２ｄとの間となる短手方向の中央位置に、他との識別のための数値や文字等の識別情報を表すバーコード等の識別表示部７１が印刷されている。言い換えれば、主面部６１の短手方向の中央部に識別表示部７１が形成されていることから、各識別孔群６２ａ〜６２ｄは、主面部６１の短手方向の中央部からずれた位置に形成されている。ここでは、識別孔群６２ａ〜６２ｄは、主面部６１の長手方向において、識別表示部７１と位置が重なるように配置されている。一枚の仕切りカードＳ（ｂ）においては、主面部６１に印刷された識別表示部７１と同じものが、図６に示す主面部６４にも識別孔群６２ａ，６２ｃと識別孔群６２ｂ，６２ｄとの間となる短手方向の中央位置に印刷されている。
【００４５】
図３に示すように、仕切りカードＳ（ｂ）は、識別孔群６２ａ，６２ｄと識別孔群６２ｂ，６２ｃとの間の部分が、取込ローラ５２及び分離ローラ５３に接触しつつこれらの間を通過するようになっている（図３に示す二点鎖線間が取込ローラ５２及び分離ローラ５３の通過範囲を示す）。言い換えれば、各識別孔群６２ａ〜６２ｄは、主面部６１，６４の長手方向の中央部を取込ローラ５２及び分離ローラ５３が通過するので、主面部６１，６４の長手方向の中央部からずれた位置に形成されている。
【００４６】
本実施形態に係る紙葉類処理装置１１では、一つの紙葉類群Ｇにおいて区分部Ｂ（ａ）のそれぞれの集積方向（厚さ方向）両外側のうちの一方である区分部Ｂ（ａ）の集積方向の前側（投入口１２へのセット状態での下側）の直前位置のみに、直後位置の区分部Ｂ（ａ）を識別するための仕切りカードＳ（ｂ）が配置されるようになっている。つまり、区分部Ｂ（ａ）のそれぞれの始端を識別するためのスタートカードとして仕切りカードＳ（ｂ）が使用される。なお、これに限らず、区分部Ｂ（ａ）のそれぞれの集積方向の後側（投入口１２へのセット状態での上側）の直後位置のみに、直前位置の区分部Ｂ（ａ）の終端を識別するためのエンドカードとして仕切りカードＳ（ｂ）が配置されるようにしても良い。或いは、区分部Ｂ（ａ）のそれぞれの集積方向の前後両側に区分部Ｂ（ａ）のそれぞれの始端及び終端を識別するためのスタートカード及びエンドカードとして二枚の仕切りカードＳ（ｂ）が配置されるようにしても良い。
【００４７】
紙葉類処理装置１１では、各区分部Ｂ（ａ）を識別処理するにあたり、操作者の操作表示部３１への操作入力に基づいて、各区分部Ｂ（ａ）と、仕切りカードＳ（ｂ）の識別表示部７１との一対一の対応関係を記憶部３３に記憶する設定処理を行う。その後、操作者が、識別表示部７１を有する仕切りカードＳ（ｂ）を対応する区分部Ｂ（ａ）の投入口１２による集積方向前側に配置するようにして、これらを投入口１２にセットする。このとき、複数の区分部Ｂ（ａ）を一度に処理可能であり、その場合、複数の区分部Ｂ（ａ）のそれぞれの投入口１２による集積方向前側に、一対一で対応する仕切りカードＳ（ｂ）を配置して、投入口１２にセットする。
【００４８】
そして、処理開始の操作指示入力が操作表示部３１に入力されると、制御部３２は、投入口１２の蹴出ローラ５１及び取込ローラ５２を、投入口１２の紙葉類Ｓを搬送部２１に向けて繰り出す取り込み方向に駆動するとともに、搬送部２１を駆動する。すると、最下の紙葉類Ｓが蹴出ローラ５１で取込ローラ５２側に蹴り出され、取込ローラ５２及び分離ローラ５３で一枚ずつに分離されて搬送部２１側に取り込まれ、搬送部２１で搬送される。投入口１２によって取り込まれた紙葉類Ｓは、まず、搬送部２１に受け渡される前に取込センサ５５によって検出されることになる。制御部３２は、取込センサ５５が、遮光により投入口１２からの取り込みを検出し、この取り込みの検出開始後の監視時間内に識別孔群６２ａ〜６２ｄの一つを二回の透光により検出した紙葉類Ｓを、仕切りカードＳ（ｂ）と識別する一方、遮光により投入口１２からの取り込みを検出し、この取り込みの検出開始後の監視時間に二回の透光が発生せず識別孔群６２ａ〜６２ｄのいずれも検出しなかった紙葉類Ｓを処理対象紙幣Ｓ（ａ）と識別する。
【００４９】
以下、異なる二枚の仕切りカードＳ（ｂ）を、第１の仕切りカードＳ（ｂ）、第２の仕切りカードＳ（ｂ）として区別し、他の構成についても同様に区別して説明する。
【００５０】
投入口１２に、第１の仕切りカードＳ（ｂ）と第１の区分部Ｂ（ａ）とで構成される第１の紙葉類群Ｇ上に、第２の仕切りカードＳ（ｂ）と第２の区分部Ｂ（ａ）とで構成される第２の紙葉類群Ｇが重ねて配置されると共に、第１の仕切りカードＳ（ｂ）及び第２の仕切りカードＳ（ｂ）が、投入口１２の壁部４１及び壁部４３に当接するようにして配置され、搬送部２１で搬送されると、第１の仕切りカードＳ（ｂ）はその第１の識別表示部７１が識別部２２で読み取られることになる。制御部３２は、識別部２２で読み取り後の第１の仕切りカードＳ（ｂ）を搬送部２１及び振分部２６によってリジェクト部１３に搬送させる。
【００５１】
そして、この第１の仕切りカードＳ（ｂ）に続いて搬送される処理対象紙幣Ｓ（ａ）を、第１の仕切りカードＳ（ｂ）の第１の識別表示部７１が表す第１の識別情報に対応する第１の区分部Ｂ（ａ）を構成する処理対象紙幣Ｓ（ａ）として、順次識別部２２によって識別させて計数させる。制御部３２は、第１の区分部Ｂ（ａ）を構成する処理対象紙幣Ｓ（ａ）のうち、識別部２２の識別結果から正常紙幣と識別された正常処理対象紙幣Ｓ（ａ）を、搬送部２１及び振分部２６によってこの第１の区分部Ｂ（ａ）に対応する第１の集積部１４に集積させることになり、正常紙幣以外と識別されたリジェクト処理対象紙幣Ｓ（ａ）を、搬送部２１及び振分部２６によってリジェクト部１３に搬送させる。
【００５２】
取込センサ５５が、第１の仕切りカードＳ（ｂ）の次の第２の仕切りカードＳ（ｂ）を検出すると、制御部３２は、蹴出ローラ５１及び取込ローラ５２を停止させて、投入口１２による、紙葉類群Ｇを構成する紙葉類Ｓの取り込みを一旦停止させる。このとき、紙葉類Ｓである第２の仕切りカードＳ（ｂ）は、取込ローラ５２と分離ローラ５３との間で停止する。制御部３２は、取り込み停止時に搬送部２１を停止させることはなく、第１の区分部Ｂ（ａ）を構成する処理対象紙幣Ｓ（ａ）の識別部２２による識別、正常処理対象紙幣Ｓ（ａ）の第１の集積部１４への搬送、及びリジェクト処理対象紙幣Ｓ（ａ）のリジェクト部１３への搬送を継続する。
【００５３】
そして、第１の区分部Ｂ（ａ）を構成する処理対象紙幣Ｓ（ａ）がすべて第１の集積部１４及びリジェクト部１３のいずれかに搬送されて、搬送部２１上に処理対象紙幣Ｓ（ａ）がなくなったと判定すると、制御部３２は、第１の仕切りカードＳ（ｂ）と第１の区分部Ｂ（ａ）とからなる第１の紙葉類群Ｇの処理が終了したと判定して、蹴出ローラ５１及び取込ローラ５２を再駆動して、これらの間に停止していた第２の紙葉類群Ｇの第２の仕切りカードＳ（ｂ）を搬送部２１に受け渡す。すると、第２の仕切りカードＳ（ｂ）は搬送部２１で搬送され、その第２の識別表示部７１が識別部２２で読み取られることになる。制御部３２は、識別部２２で読み取り後の第２の仕切りカードＳ（ｂ）を搬送部２１及び振分部２６によってリジェクト部１３に搬送させる。
【００５４】
そして、この第２の仕切りカードＳ（ｂ）に続いて搬送される処理対象紙幣Ｓ（ａ）を、第２の仕切りカードＳ（ｂ）の第２の識別表示部７１が表す第２の識別情報に対応する第２の区分部Ｂ（ａ）を構成する処理対象紙幣Ｓ（ａ）として、順次識別部２２によって識別させて計数させる。制御部３２は、第２の区分部Ｂ（ａ）を構成する処理対象紙幣Ｓ（ａ）のうち、識別部２２の識別結果から正常紙幣と識別された正常処理対象紙幣Ｓ（ａ）を、搬送部２１及び振分部２６によってこの第２の区分部Ｂ（ａ）に対応する第２の集積部１４に集積させることになり、正常紙幣以外と識別されたリジェクト処理対象紙幣Ｓ（ａ）を、搬送部２１及び振分部２６によってリジェクト部１３に搬送させる。
【００５５】
このようにして、制御部３２は、第１の仕切りカードＳ（ｂ）を含む第１の紙葉類群Ｇと、第２の仕切りカードＳ（ｂ）を有する第２の紙葉類群Ｇとを区分けする。
【００５６】
以上を適宜繰り返すことで、投入口１２に紙葉類Ｓがなくなったことを、取込センサ５５の透光状態が所定時間連続することで検知すると、制御部３２は、各集積部１４へ集積させた区分部Ｂ（ａ）の正常処理対象紙幣Ｓ（ａ）の識別及び計数の集計結果に基づく例えば合計金額を、各集積部１４の識別と対応付けて操作表示部３１に表示させる。
【００５７】
上記の紙葉類処理装置１１によれば、少なくとも一枚の処理対象紙幣Ｓ（ａ）と仕切りカードＳ（ｂ）とを有する紙葉類群Ｇを投入口１２が取り込むと、取込センサ５５は、投入口１２からの紙葉類群Ｇの取り込みを検出すると共に、仕切りカードＳ（ｂ）の主面部６１，６４に搬送方向に沿って並んで少なくとも二つ設けられた貫通孔６３で構成される識別孔群６２ａ〜６２ｄの一つを検出する。そして、制御部３２は、取込センサ５５が取り込み及び識別孔群６２ａ〜６２ｄの一つを検出した紙葉類Ｓを仕切りカードＳ（ｂ）と判定し、取込センサ５５が取り込みを検出し識別孔群６２ａ〜６２ｄのいずれも検出しなかった紙葉類Ｓを処理対象紙幣Ｓ（ａ）と判定して、紙葉類群Ｇを区分けする。このように、取込センサ５５は、仕切りカードＳ（ｂ）の主面部６１，６４に搬送方向に沿って並んで少なくとも二つ設けられた貫通孔６３で構成される識別孔群６２ａ〜６２ｄの一つの有無を検出できれば良いことから、仕切りカードＳ（ｂ）と処理対象紙幣Ｓ（ａ）とを識別するための構成の低コスト化が図れる。したがって、コスト増を抑制することができる。しかも、仕切りカードＳ（ｂ）と処理対象紙幣Ｓ（ａ）とを識別するための構成を簡素化及び小型化することもできる。
【００５８】
また、紙葉類処理装置１１によれば、仕切りカードＳ（ｂ）の主面部６１，６４の搬送方向に直交する搬送直交方向の中央部からこの方向に変位した位置に形成された識別孔群６２ａ，６２ｄと仕切りカードＳ（ｂ）の主面部６１，６４のこれらに近い側の搬送直交方向の端部との間の搬送直交方向の長さと、識別孔群６２ｂ，６２ｃと仕切りカードＳ（ｂ）の主面部６１，６４のこれらに近い側の搬送直交方向の端部との間の搬送直交方向の長さとが、投入口１２の幅方向の中央部に対してこの幅方向に変位した位置に配置された取込センサ５５と投入口１２の幅方向のこれに近い側の端部との間のこの幅方向の長さと同じ長さであるため、取込センサ５５で識別孔群６２ａ〜６２ｄの一つを良好に検出することができる。
【００５９】
また、紙葉類処理装置１１によれば、仕切りカードＳ（ｂ）には、搬送直交方向の一方に二つの識別孔群６２ａ，６２ｄが形成されると共に他方に二つの識別孔群６２ｂ，６２ｃが形成され、搬送直交方向の一方の識別孔群６２ａ，６２ｄと仕切りカードＳ（ｂ）の主面部６１，６４のこれらに近い側の搬送直交方向の一方の端部との間の搬送直交方向の長さ及び搬送直交方向の他方の識別孔群６２ｂ，６２ｃと仕切りカードＳ（ｂ）の主面部６１，６４のこれらに近い側の搬送直交方向の他方の端部との間の搬送直交方向の長さが、取込センサ５５と投入口１２の幅方向の端部との間のこの幅方向の長さと同じ長さであるため、仕切りカードＳ（ｂ）の投入の向き（表裏及び天地）に関わらずに、取込センサ５５によって識別孔群６２ａ〜６２ｄの一つを検出することができる。よって、仕切りカードＳ（ｂ）の投入の向きをそろえる必要がないので、作業性が良い。
【００６０】
また、紙葉類処理装置１１によれば、制御部３２は、取込センサ５５で取り込み及び識別孔群６２ａ〜６２ｄの一つが検出されることで紙葉類Ｓを仕切りカードＳ（ｂ）と判定すると、この判定に基づいて、紙葉類群Ｇの取り込みを一時停止するため、仕切りカードＳ（ｂ）の前後の処理対象紙幣Ｓ（ａ）つまり区分けが異なる処理対象紙幣Ｓ（ａ）の取り込み間隔をあけることができる。よって、ジャム発生時等において区分けが異なる処理対象紙幣Ｓ（ａ）を良好且つ容易に分けることができる。しかも、取込センサ５５が投入口１２の近傍に設置されているため、紙葉類Ｓを仕切りカードＳ（ｂ）と判定して紙葉類群Ｇの取り込みを一時停止すると、仕切りカードＳ（ｂ）よりも下流側の紙葉類Ｓを投入口１２に残すことができる。よって、区分けが異なる処理対象紙幣Ｓ（ａ）が紙葉類処理装置１１内で混在することを抑制できる。
【００６１】
つまり、紙葉類処理装置１１に内蔵された識別部２２によって仕切りカードＳ（ｂ）と処理対象紙幣Ｓ（ａ）とを識別して各紙葉類群Ｇを区分けすると、例えば、ジャム等によって紙葉類処理装置１１が停止した場合に異なる区分部Ｂ（ａ）の処理対象紙幣Ｓ（ａ）が混在しないように、前の区分部Ｂ（ａ）の処理が完了するまで、次の区分部Ｂ（ａ）の処理対象紙幣Ｓ（ａ）の取り込みを一時停止するように制御しても、識別部２２によって仕切りカードＳ（ｂ）と処理対象紙幣Ｓ（ａ）とを識別しているので、実際には投入口１２と識別部２２との間の搬送路２５内には次の区分部Ｂ（ａ）の一部の処理対象紙幣Ｓ（ａ）が存在してしまう。これにより、異なる複数の区分部Ｂ（ａ）の処理対象紙幣Ｓ（ａ）が混在する恐れがある。これに対して、投入口１２の近傍で仕切りカードＳ（ｂ）と処理対象紙幣Ｓ（ａ）とを識別して、各紙葉類群Ｇを区分けすることができるため、紙葉類処理装置１１内（搬送部２１内）で、異なる区分部Ｂ（ａ）の処理対象紙幣Ｓ（ａ）が混在することを抑制できる。
【００６２】
また、既存の紙葉類処理装置に、投入口の紙葉類の取り込みを検出する取込センサが設けられていれば、ハード構成を変更することなく、ソフトの改修及び仕切りカードＳ（ｂ）の作成だけで上記紙葉類処理装置１１とすることができる。
【００６３】
上記の仕切りカードＳ（ｂ）によれば、少なくとも一枚の処理対象紙幣Ｓ（ａ）と重ねられて紙葉類処理装置１１に配置されて投入口１２から取り込まれると、取込センサ５５に、搬送方向に沿って並んで少なくとも二つ設けられた貫通孔６３で構成される識別孔群６２ａ〜６２ｄの一つを検出させて紙葉類処理装置１１に紙葉類群Ｇを区分けさせる。このように、搬送方向に沿って並んで少なくとも二つ設けられた貫通孔６３で構成される識別孔群６２ａ〜６２ｄの一つの有無を取込センサ５５に検出させるため、処理対象紙幣Ｓ（ａ）と識別させるための構成の低コスト化が図れる。したがって、紙葉類処理装置１１のコスト増を抑制できる。しかも、処理対象紙幣Ｓ（ａ）と識別させるための構成を簡素化及び小型化することもできる。
【００６４】
また、仕切りカードＳ（ｂ）によれば、搬送方向に直交する搬送直交方向の中央部からこの方向に変位した位置に形成された識別孔群６２ａ，６２ｄとこれらに近い側の主面部６１，６４の搬送直交方向の端部との間の搬送直交方向の長さ、及び、搬送方向に直交する搬送直交方向の中央部からこの方向に変位した位置に形成された識別孔群６２ｂ，６２ｃとこれらに近い側の主面部６１，６４の搬送直交方向の端部との間の搬送直交方向の長さが、投入口１２の幅方向の中央部に対してこの幅方向に変位した位置に配置された取込センサ５５とこれに近い側の投入口１２の幅方向の端部との間のこの幅方向の長さと同じ長さであるため、識別孔群６２ａ〜６２ｄの一つを取込センサ５５に良好に検出させることができる。
【００６５】
また、仕切りカードＳ（ｂ）によれば、搬送直交方向の一方に二つの識別孔群６２ａ，６２ｄが形成されると共に他方に二つの識別孔群６２ｂ，６２ｃが形成され、搬送直交方向の一方の識別孔群６２ａ，６２ｄとこれらに近い側の主面部６１，６４の搬送直交方向の一方の端部との間の搬送直交方向の長さ、及び、搬送直交方向の他方の識別孔群６２ｂ，６２ｃとこれらに近い側の主面部６１，６４の搬送直交方向の他方の端部との間の搬送直交方向の長さが、取込センサ５５とこれに近い側の投入口１２の幅方向の端部との間のこの幅方向の長さと同じ長さであるため、投入の向き（表裏及び天地）に関わらずに、識別孔群６２ａ〜６２ｄの一つを取込センサ５５に検出させることができる。よって、投入の向きをそろえる必要がないので、作業性が良い。
【００６６】
以上に述べた実施形態は、以下の変更が可能である。
【００６７】
一つの紙葉類群Ｇにおいて仕切りカードＳ（ｂ）を区分部Ｂ（ａ）の前と後の両方にセットするようにしても良い。この場合、第１の紙葉類群Ｇとして一枚目の第１の仕切りカードＳ（ｂ）、第１の区分部Ｂ（ａ）、二枚目の第１の仕切りカードＳ（ｂ）をこの順に重ね、次に、第２の紙葉類群Ｇとして一枚目の第２の仕切りカードＳ（ｂ）、第２の区分部Ｂ（ａ）、二枚目の第２の仕切りカードＳ（ｂ）をこの順に重ねることを、紙葉類群Ｇの数に応じて行う。制御部３２は、一枚目の第１の仕切りカードＳ（ｂ）の検出後、第１の区分部Ｂ（ａ）が検出され、その後、二枚目の第１の仕切りカードＳ（ｂ）が取込センサ５５で検出されると、二枚目の第１の仕切りカードＳ（ｂ）の直後の紙葉類Ｓを蹴出ローラ５１が蹴り出す前に投入口１２による取り込みを一旦停止させて、一枚目の第１の仕切りカードＳ（ｂ）、第１の区分部Ｂ（ａ）、二枚目の第１の仕切りカードＳ（ｂ）を、それぞれ集積部１４及びリジェクト部１３の対応するものに搬送する。その後、投入口１２の取り込みを再開させて、一枚目の第２の仕切りカードＳ（ｂ）の検出後、第２の区分部Ｂ（ａ）が検出され、その後、二枚目の第２の仕切りカードＳ（ｂ）が取込センサ５５で検出されると、第２の仕切りカードＳ（ｂ）の直後の紙葉類Ｓを蹴出ローラ５１が蹴り出す前に投入口１２による取り込みを一旦停止させる。以上の制御を適宜繰り返す。
【００６８】
一つの紙葉類群Ｇにおいて仕切りカードＳ（ｂ）を区分部Ｂ（ａ）の後のみにセットするようにしても良い。この場合、第１の紙葉類群Ｇとして、第１の区分部Ｂ（ａ）、第１の仕切りカードＳ（ｂ）をこの順に重ね、次に、第２の紙葉類群Ｇとして第２の区分部Ｂ（ａ）、第２の仕切りカードＳ（ｂ）をこの順に重ねることを、紙葉類群Ｇの数に応じて行う。制御部３２は、第１の区分部Ｂ（ａ）が検出され、その後、第１の仕切りカードＳ（ｂ）が取込センサ５５で検出されると、第１の仕切りカードＳ（ｂ）の直後の紙葉類Ｓを蹴出ローラ５１が蹴り出す前に投入口１２による取り込みを一旦停止させて、第１の区分部Ｂ（ａ）、第１の仕切りカードＳ（ｂ）を、それぞれ集積部１４及びリジェクト部１３の対応するものに搬送する。その後、投入口１２の取り込みを再開させて、第２の区分部Ｂ（ａ）の検出後、第２の仕切りカードＳ（ｂ）が取込センサ５５で検出されると、第２の仕切りカードＳ（ｂ）の直後の紙葉類Ｓを蹴出ローラ５１が蹴り出す前に投入口１２による取り込みを一旦停止させる。以上の制御を適宜繰り返す。
【００６９】
各識別孔群６２ａ〜６２ｄを、それぞれ三つ以上の貫通孔６３で構成しても良い。つまり、各識別孔群６２ａ〜６２ｄは、それぞれが少なくとも二つ設けられた貫通孔６３で構成されていれば良い。各識別孔群６２ａ〜６２ｄを、それぞれ三つ以上の貫通孔６３で構成することよって、より確実に仕切りカードＳ（ｂ）と処理対象紙幣Ｓ（ａ）とを識別することができる。
【００７０】
各識別孔群６２ａ〜６２ｄを構成する貫通孔６３は、仕切りカードＳ（ｂ）の長手方向における取込センサ５５との位置ずれを吸収するために、長方形に形成されることが好ましいが、取込センサ５５によって検出可能であれば、円形状、正方形、他の多角形等、如何なる形状に形成されるようにしても良い。
【００７１】
仕切りカードＳ（ｂ）の主面部６１，６４には、四つの識別孔群６２ａ〜６２ｄが形成されることが好ましいが、取込センサ５５によって検出可能であれば、識別孔群６２ａ〜６２ｄのうちの少なくとも一つが形成されていれば良い。
【００７２】
識別孔群６２ａ〜６２ｄは、図３〜図７に示すように、仕切りカードＳ（ｂ）の長手方向において、識別表示部７１と位置が重なるように配置されているが、これに限定されるものではなく、図８に示すように、取込センサ５５の位置によっては、仕切りカードＳ（ｂ）の長手方向において識別表示部７１と位置が重ならないように配置することになる。この場合、図９に示すように、仕切りカードＳ（ｂ）の主面部６１の短手方向の中央部に、二つの識別孔群６２ｅ，６２ｆを形成しても良い。この場合も、少なくとも一つの識別孔群を形成すれば良い。
【００７３】
図１０に示すように、取込ローラ５２を投入口１２の幅方向の中央部からこの幅方向にずれた位置に設け、取込センサ５５を、投入口１２の幅方向の中央部とこの幅方向の位置を合わせて配置して、仕切りカードＳ（ｂ）の主面部６１の長手方向の中央部に、二つの識別孔群６２ｇ，６２ｈを形成しても良い。つまり、二つの識別孔群６２ｇ，６２ｈを、仕切りカードＳ（ｂ）の主面部６１の搬送直交方向の中央部に形成しても良い。これにより、仕切りカードＳ（ｂ）の投入の向きに関わらずに、取込センサ５５によって識別孔群６２ｇ，６２ｈを検出することができる。よって、仕切りカードＳ（ｂ）の投入の向き（表裏及び天地）をそろえる必要がないので、作業性が良い。この場合も、少なくとも一つの識別孔群を形成すれば良い。つまり、主面部６１の短手方向の中央部よりも搬送方向先側に一つのみの識別孔群を形成したり、主面部６１の短手方向の中央部よりも搬送方向後側に一つのみの識別孔群を形成したり、主面部６１の短手方向の中央部よりも搬送方向先側及び後側それぞれに識別孔群を形成したりすることが可能である。
【００７４】
制御部３２は、取込センサ５５によって仕切りカードＳ（ｂ）が検出された場合に、これに基づいて、紙葉類Ｓの取り込みを一時停止することが好ましいが、このような一時停止をしなくても良い。
【００７５】
仕切りカードＳ（ｂ）は、上記のように、短手方向を搬送方向とすることに限定されるものではなく、長手方向を搬送方向とするようにしても良い。この場合、図１１に示すように、識別孔群６２ａ〜６２ｄのそれぞれが貫通孔６３を仕切りカードＳ（ｂ）の長手方向（搬送方向）に所定の間隔をあけて並設する構成となる。この場合も、上記の変更を適宜採用することができる。
【００７６】
投入口１２は、図４等に示すように、紙葉類処理装置１１の右側面に右側方に開口するように設けられることに限定されるものではなく、図１２に示すように、紙葉類処理装置１１の右側面に右側方及び前方に亘って開口するように設けられるようにしても良い。つまり、投入口１２は、壁部４２が無いように設けられるようにしても良い。このように投入口１２が紙葉類処理装置１１の右側面に右側方及び前方に亘って開口して壁部４２が無い場合であっても、壁部４２が有る場合と同様に、投入口１２に仕切りカードＳ（ｂ）が壁部４１及び壁部４３に当接するようにしてセットされることで、壁部４２が有る場合と同様に、取込センサ５５で識別孔群６２ａ〜６２ｄの一つを良好に検出することができる。また、装置前面から紙葉類Ｓを投入口１２にセットできるので、右側方だけに開口している場合よりも作業性が良い。更に、底部４０又は壁部４１に、投入口１２の幅方向に移動可能であって、仕切りカードＳ（ｂ）の壁部４３と当接する端部とは反対側の端部と当接して位置決めする位置決め部が設けられるようにしても良い。これにより、紙葉類処理装置１１の右側面に右側方及び前方に亘って開口して壁部４２が無い場合であっても、仕切りカードＳ（ｂ）をより確実に位置決めすることができ、取込センサ５５で識別孔群６２ａ〜６２ｄの一つをより良好に検出することができる。
【００７７】
投入口１２には、図４及び図１２に示すように、仕切りカードＳ（ｂ）が壁部４１及び壁部４３と当接するようにして配置されることが好ましいが、貫通孔６３が投入口１２の幅方向に対して所定の長さを有し、仕切りカードＳ（ｂ）が投入口１２に配置された際に取込センサ５５に対する投入口１２の幅方向の位置ずれに対応することができるので、図１３に示すように、仕切りカードＳ（ｂ）の端部と壁部４３との間に投入口１２の幅方向に対して隙間を有するようにして、投入口１２に仕切りカードＳ（ｂ）が配置されるようにしても良い。
【００７８】
取込センサ５５は、投入口１２の幅方向の中心部に対して壁部４３側に変位した位置に配置されている場合を例に説明してきたが、勿論、投入口１２の幅方向の中心部に対して壁部４２側に変位した位置に配置されるようにしても良い。
【００７９】
以上の実施形態では、紙葉類処理装置１１が、紙幣を入金する紙幣入金装置である場合を例にとり説明したが、紙幣を入金及び出金する紙幣入出金装置であっても良い。硬貨及び紙幣を入金する貨幣入金装置であっても良く、硬貨及び紙幣を入金及び出金する貨幣入出金装置であっても良い。また、処理対象紙葉類として、紙幣以外の証券や金券等、他の種々の紙葉類Ｓを処理する紙葉類処理装置にも適用可能である。
【００８０】
少なくとも一枚の処理対象紙葉類と、前記処理対象紙葉類と重ねて配置され、搬送方向に沿って並んで少なくとも二つ設けられた貫通孔で構成される識別孔群が主面部に少なくとも一つ形成された仕切りカードとを有する紙葉類群を取り込む投入口と、前記投入口からの前記紙葉類群の取り込みを検出すると共に前記識別孔群を検出する検出部と、前記検出部が前記取り込み及び前記識別孔群を構成する少なくとも二つの貫通孔を検出した紙葉類を前記仕切りカードと判定し、前記検出部が前記取り込みを検出して前記識別孔群を構成する少なくとも二つの貫通孔を検出しなかった紙葉類を前記処理対象紙葉類と判定して、前記紙葉類群を区分けする制御部とを備えることを特徴とする。
【００８１】
これにより、少なくとも一枚の処理対象紙葉類と仕切りカードとを有する紙葉類群を投入口が取り込むと、検出部は、投入口からの紙葉類群の取り込みを検出すると共に、仕切りカードの主面部に搬送方向に沿って並んで少なくとも二つ設けられた貫通孔で構成される識別孔群を検出する。そして、制御部は、検出部が取り込み及び識別孔群を検出した紙葉類を仕切りカードと判定し、検出部が取り込みを検出して識別孔群を検出しなかった紙葉類を処理対象紙葉類と判定して、紙葉類群を区分けする。このように、検出部は、仕切りカードの主面部に搬送方向に沿って並んで少なくとも二つ設けられた貫通孔で構成される識別孔群の有無を検出できれば良いことから、仕切りカードと処理対象紙葉類とを識別するための構成を低コスト化することができる。したがって、コスト増を抑制することができる。しかも、仕切りカードと処理対象紙葉類とを識別するための構成を簡素化及び小型化することもできる。
【００８２】
前記検出部は、前記投入口の幅方向の中央部に対して該幅方向に変位した位置に配置され、前記識別孔群は、前記仕切りカードの主面部の前記搬送方向に直交する第一方向の中央部から該第一方向に変位した位置に形成されることを特徴とする。
【００８３】
これにより、識別孔群が仕切りカードの主面部の搬送方向に直交する第一方向の中央部から該第一方向に変位した位置に形成されるため、検出部で識別孔群を良好に検出することができる。
【００８４】
前記識別孔群は、前記第一方向の一方に少なくとも一つ形成されると共に他方に少なくとも一つ形成されることを特徴とする。
【００８５】
これにより、仕切りカードには、識別孔群が第一方向の一方に形成されると共に他方に形成されるため、仕切りカードの投入の向きに関わらずに、検出部によって識別孔群を検出することができる。よって、仕切りカードの投入の向きをそろえる必要がないので、作業性が良い。
【００８６】
前記検出部は、前記投入口の幅方向の中央部と該幅方向の位置を合わせて配置され、前記識別孔群は、前記仕切りカードの主面部の前記搬送方向に直交する第一方向の中央部に形成されていることを特徴とする。
【００８７】
これにより、仕切りカードには、その搬送方向に直交する第一方向の中央部に識別孔群が形成されており、検出部が投入口の幅方向の中央部と該幅方向の位置を合わせて配置されているため、仕切りカードの投入の向きに関わらずに、検出部によって識別孔群を検出することができる。よって、仕切りカードの投入の向きをそろえる必要がないので、作業性が良い。
【００８８】
前記検出部は、前記投入口の近傍に設置されており、前記制御部は、紙葉類を前記仕切りカードと判定すると、当該判定に基づいて、前記紙葉類群の前記取り込みを一時停止することを特徴とする。
【００８９】
これにより、制御部は、検出部で取り込み及び識別孔群が検出されることで紙葉類を仕切りカードと判定すると、この判定に基づいて、紙葉類群の取り込みを一時停止するため、仕切りカードの前後の処理対象紙葉類つまり区分けが異なる処理対象紙葉類の取り込み間隔をあけることができる。よって、ジャム発生時等において区分けが異なる処理対象紙葉類を良好且つ容易に分けることができる。更に、検出部が投入口の近傍に設置されているため、紙葉類を仕切りカードと判定して紙葉類群の取り込みを一時停止すると、仕切りカードよりも下流側の紙葉類を投入口に残すことができる。よって、区分けが異なる処理対象紙葉類が装置内で混在することを抑制できる。
【００９０】
少なくとも一枚の処理対象紙葉類と重ねて配置され、搬送方向に沿って並んで少なくとも二つ設けられた貫通孔で構成される識別孔群が主面部に形成され、前記処理対象紙葉類と共に紙葉類群を構成し、前記識別孔群は、前記主面部の前記搬送方向に直交する第一方向の一方に少なくとも一つ形成されると共に他方に少なくとも一つ形成され、投入口と、前記投入口からの前記紙葉類群の取り込みを検出すると共に前記識別孔群を検出する検出部とを有する紙葉類処理装置の前記投入口から取り込まれると、前記検出部に前記識別孔群を構成する少なくとも二つの貫通孔を検出させて前記紙葉類処理装置に前記紙葉類群を区分けさせることを特徴とする。
【００９１】
これにより、少なくとも一枚の処理対象紙葉類と重ねられて紙葉類処理装置に配置されて投入口から取り込まれると、検出部に、搬送方向に沿って並んで少なくとも二つ設けられた貫通孔で構成される識別孔群を検出させて、紙葉類処理装置に紙葉類群を区分けさせる。このように、搬送方向に沿って並んで少なくとも二つ設けられた貫通孔で構成される識別孔群の有無を検出部に検出させるため、処理対象紙葉類と識別させるための構成を低コスト化することができる。したがって、紙葉類処理装置のコスト増を抑制することができる。しかも、処理対象紙葉類と識別させるための構成を簡素化及び小型化することもできる。
【００９２】
また、識別孔群が第一方向の一方に形成されると共に他方に形成されるため、投入の向きに関わらずに、識別孔群を検出部に検出させることができる。よって、投入の向きをそろえる必要がないので、作業性が良い。
【００９３】
少なくとも一枚の処理対象紙葉類と重ねて配置され、搬送方向に沿って並んで少なくとも二つ設けられた貫通孔で構成される識別孔群が主面部に形成され、前記処理対象紙葉類と共に紙葉類群を構成し、前記識別孔群は、前記主面部の前記搬送方向の一方に少なくとも一つ形成されると共に他方に少なくとも一つ形成され、投入口と、前記投入口からの前記紙葉類群の取り込みを検出すると共に前記識別孔群を検出する検出部とを有する紙葉類処理装置の前記投入口から取り込まれると、前記検出部に前記識別孔群を構成する少なくとも二つの貫通孔を検出させて前記紙葉類処理装置に前記紙葉類群を区分けさせることを特徴とする。
【符号の説明】
【００９４】
１１  紙葉類処理装置
１２  投入口
３２  制御部
５５  取込センサ（検出部）
６１，６４  主面部
６２ａ〜６２ｄ  識別孔群
６３  貫通孔
Ｂ（ａ）  区分部
Ｇ  紙葉類群
Ｓ（ａ）  処理対象紙幣（紙葉類，処理対象紙葉類）
Ｓ（ｂ）  仕切りカード（紙葉類）
【図１】
2020035499.tif 000003
【図２】
2020035499.tif 000004
【図３】
2020035499.tif 000005
【図４】
2020035499.tif 000006
【図５】
2020035499.tif 000007
【図６】
2020035499.tif 000008
【図７】
2020035499.tif 000009
【図８】
2020035499.tif 000010
【図９】
2020035499.tif 000011
【図１０】
2020035499.tif 000012
【図１１】
2020035499.tif 000013
【図１２】
2020035499.tif 000014
【図１３】
2020035499.tif 000015